(57)【要約】【課題】紙幣処理装置の薄型化を図ることができ、且つ、紙幣収納動作を効果的に行うことができる紙幣処理装置を提供する。【解決手段】紙幣が挿入される紙幣挿入口４と、紙幣が収納される紙幣収納部２０と、紙幣挿入口４から挿入された紙幣を紙幣一時保留用スペース２００まで搬送する紙幣通路５とを備える紙幣処理装置１であって、紙幣一時保留用スペース２００の紙幣を紙幣収納部２０に収納する紙幣収納機構１００と、紙幣収納機構１００で紙幣収納部２０に収納された紙幣が紙幣一時保留用スペース２００へ戻ることを防止する紙幣逆戻り防止機構４００とを備え、紙幣逆戻り防止機構４００は、紙幣収納機構１００の紙幣案内ドラム１０１の回転に伴い、紙幣収納部２０に収納される紙幣の面と略平行な面内で回動して紙幣一時保留用スペース２００に進入することで、紙幣収納部２０に収納された紙幣を押さえる逆戻り防止レバー１１６を備えた。【選択図】図１８
2008257380.tif 000002
【特許請求の範囲】
【請求項１】
紙幣が挿入される紙幣挿入口と、
紙幣を集積して収納する紙幣収納部と、
前記紙幣挿入口から挿入された紙幣を紙幣一時保留用スペースまで搬送する紙幣搬送手段と、
前記紙幣一時保留用スペースまで搬送された紙幣を前記紙幣収納部内に収納する動作を行う紙幣収納機構と、
前記紙幣収納部内に収納された紙幣が前記紙幣一時保留用スペースの方へ戻ることを防止する紙幣逆戻り防止機構と
を備え、
前記紙幣逆戻り防止機構は、前記紙幣収納機構が前記紙幣収納部内に紙幣を収納する動作に連動して、該紙幣の面と略平行な面内で移動して前記紙幣一時保留用スペースに出入する逆戻り防止レバーを含み、前記紙幣収納機構が紙幣収納動作を行う時に前記逆戻り防止レバーを前記紙幣一時保留用スペースから退出させ、その後、該逆戻り防止レバーを該紙幣一時保留用スペースを遮る位置に戻すことで、該紙幣収納部内に収納された紙幣の紙幣一時保留用スペースへの戻りを防止することを特徴とする紙幣処理装置。
【請求項２】
請求項１に記載の紙幣処理装置において、
前記紙幣逆戻り防止機構は、前記紙幣収納機構の１サイクルの紙幣収納動作に連動して前記逆戻り防止レバーを出入動作させるカム機構を含むことを特徴とする紙幣処理装置。
【請求項３】
請求項１に記載の紙幣処理装置において、
前記紙幣収納機構は、前記紙幣一時保留用スペースにおいて、紙幣の両側に対応してそれぞれ配置されてその側面にスリットが形成された一対の紙幣案内ドラムを備え、前記紙幣搬送手段を介して搬送されてきた紙幣が前記一対の紙幣案内ドラムのスリットの間で保持され、前記紙幣を保持する前記紙幣案内ドラムが回転することで、前記紙幣がその面に垂直な方向に移動されて前記紙幣収納部内に収納されるようになっており、
前記逆戻り防止レバーは、前記紙幣案内ドラムの回転に連動して前記紙幣収納部に収納される紙幣の面と平行な面内で回動することで、前記紙幣一時保留用スペースに出入することを特徴とする紙幣処理装置。
【請求項４】
請求項３に記載の紙幣処理装置において、
前記紙幣案内ドラムに、前記逆戻り防止レバーを当接させる当接部が設けられ、
前記紙幣案内ドラムの回転により、前記当接部に当接する前記逆戻り防止レバーが該当接部で押圧されて回動することを特徴とする紙幣処理装置。
【請求項５】
請求項４に記載の紙幣処理装置において、
前記当接部は、前記紙幣案内ドラムの一端に形成され、前記紙幣案内ドラムの回転軸周りで該回転軸の軸方向の高さが変化する面を備え、
前記紙幣案内ドラムの回転によって前記逆戻り防止レバーが前記面で押圧されることで、前記紙幣通路の紙幣が前記紙幣収納部に収納される際に前記逆戻り防止レバーが前記紙幣一時保留用スペースから退出し、前記紙幣が前記紙幣収納部に収納されたら前記逆戻り防止レバーが前記紙幣一時保留用スペースに戻ることを特徴とする紙幣処理装置。
【発明の詳細な説明】
【技術分野】
【０００１】
本発明は、自動販売機、両替機、パチンコ玉貸機、メダル貸機等に用いられる紙幣処理装置に関し、特に、パチンコ台等の遊技台の台間に設置される台間機に取り付けて好適な紙幣処理装置に関する。
【背景技術】
【０００２】
従来、パチンコ台等の遊技台の台間に設置される台間機がある。この台間機には、特許文献１に示すように、挿入された紙幣の真偽を判別すると共に、真券とみなされた紙幣のみを収容する紙幣処理装置が取り付けられている。紙幣処理装置は、紙幣が挿入される紙幣挿入口と、紙幣が収納される紙幣収納部と、紙幣挿入口から挿入された紙幣を紙幣収納部へ搬送する紙幣通路とを備えている。この紙幣処理装置では、紙幣挿入口から挿入された紙幣が紙幣通路を通過する際に、紙幣通路に設けた紙幣識別手段によって紙幣の真偽が判別される。紙幣が真券とみなされたら、紙幣収納部に収納される。この際、紙幣通路から紙幣収納部に収納される紙幣は、紙幣の面と直交する方向に移動され、紙幣収納部内で同方向に積層されて収納される。
【０００３】
このような紙幣処理装置には、紙幣収納部に収納された紙幣が紙幣通路の方へ戻ることを防止する紙幣逆戻り防止機構を備えるものがある。紙幣逆戻り防止機構は、特許文献２に示すように、紙幣収納部内に突出して配置された逆戻り防止レバーを備えている。逆戻り防止レバーは、紙幣収納部の入口で、紙幣が収納される方向に沿って回動可能に設置されている。また、この逆戻り防止レバーは、その回動の中立位置から紙幣収納部内に向かう向きには回動するが、中立位置から逆向きには回動しないようになっている。そのため、紙幣収納部に紙幣が収納される際に、収納される紙幣の端辺が接触することで回動するが、紙幣収納部に収納された紙幣によって押し戻されても回動しない。このような逆戻り防止レバーによって、紙幣収納部に収納された紙幣が紙幣収納部の入口の方へ戻ることが防止される。
【特許文献１】特開２００６−２２７９１０号公報
【特許文献２】特許３７７９０７７号公報
【発明の開示】
【発明が解決しようとする課題】
【０００４】
ところで、上記のような紙幣処理装置において、その外形の薄型化を図るには、紙幣収納部の厚み（収納された紙幣が内部で積層される方向の厚み）を薄くする必要がある。ところが、紙幣収納部の厚みを薄くすると、紙幣収納部内の厚み方向に沿って上記のような逆戻り防止レバーを回動させるためのスペースを確保できなくなるおそれがある。このように、逆戻り防止レバーを備える紙幣処理装置では、その外形の薄型化を図る上で制限が生じてしまう、という問題がある。
【０００５】
また、上記のような従来の逆戻り防止レバーでは、紙幣収納部に紙幣が収納される際に、収納される紙幣によって逆戻り防止レバーが回動されるため、紙幣と逆戻り防止レバーとが接触する。ところが、この接触によって紙幣に摩擦力が生じるため、紙幣収納動作にトラブルが発生するおそれがある。特に、紙幣収納部に収納された紙幣が満杯かそれに近い状態のときには、このような現象が起こる可能性が高くなる。
【０００６】
本発明は上述の点に鑑みてなされたものでありその目的は、紙幣処理装置の薄型化を図ることができ、且つ、紙幣収納動作を効果的に行うことができる紙幣処理装置を提供することを目的とする。
【課題を解決するための手段】
【０００７】
上記の課題を解決するため本発明の紙幣処理装置は、紙幣が挿入される紙幣挿入口と、紙幣を集積して収納する紙幣収納部と、前記紙幣挿入口から挿入された紙幣を紙幣一時保留用スペースまで搬送する紙幣搬送手段と、前記紙幣一時保留用スペースまで搬送された紙幣を前記紙幣収納部内に収納する動作を行う紙幣収納機構と、前記紙幣収納部内に収納された紙幣が前記紙幣一時保留用スペースの方へ戻ることを防止する紙幣逆戻り防止機構とを備え、前記紙幣逆戻り防止機構は、前記紙幣収納機構が前記紙幣収納部内に紙幣を収納する動作に連動して、該紙幣の面と略平行な面内で移動して前記紙幣一時保留用スペースに出入する逆戻り防止レバーを含み、前記紙幣収納機構が紙幣収納動作を行う時に前記逆戻り防止レバーを前記紙幣一時保留用スペースから退出させ、その後、該逆戻り防止レバーを該紙幣一時保留用スペースを遮る位置に戻すことで、該紙幣収納部内に収納された紙幣の紙幣一時保留用スペースへの戻りを防止することを特徴とする。
【０００８】
前記紙幣逆戻り防止機構は、前記紙幣収納機構の１サイクルの紙幣収納動作に連動して前記逆戻り防止レバーを出入動作させるカム機構を含んでいてよい。あるいは、カム機構に限らず、紙幣収納動作状態の検知に基づき逆戻り防止レバーの出入を駆動制御するような電気的連動制御手段からなるものであってもよい。
【０００９】
また、前記紙幣収納機構は、前記紙幣一時保留用スペースにおいて、紙幣の両側に対応してそれぞれ配置されてその側面にスリットが形成された一対の紙幣案内ドラムを備え、前記紙幣搬送手段を介して搬送されてきた紙幣が前記一対の紙幣案内ドラムのスリットの間で保持され、前記紙幣を保持する前記紙幣案内ドラムが回転することで、前記紙幣がその面に垂直な方向に移動されて前記紙幣収納部内に収納されるようになっており、前記逆戻り防止レバーは、前記紙幣案内ドラムの回転に連動して前記紙幣収納部に収納される紙幣の面と平行な面内で回動することで、前記紙幣収納部に出入するようにしてもよい。
【００１０】
また、上記紙幣案内ドラムに、逆戻り防止レバーを当接させる当接部が設けられ、紙幣案内ドラムの回転により、当接部に当接する逆戻り防止レバーが該当接部で押圧されて回動するようにしてもよい。
【００１１】
また、上記当接部は、紙幣案内ドラムの一端に形成され、紙幣案内ドラムの回転軸周りで該回転軸の軸方向の高さが変化する面を備え、紙幣案内ドラムの回転によって逆戻り防止レバーがこの面で押圧されることで、紙幣通路の紙幣が紙幣収納部に収納される際に逆戻り防止レバーが紙幣収納部から退出し、前記紙幣が前記紙幣収納部に収納されたら前記逆戻り防止レバーが前記紙幣一時保留用スペースに戻るようにしてもよい。
【発明の効果】
【００１２】
本発明の紙幣処理装置によれば、紙幣逆戻り防止機構が備える逆戻り防止レバーは、紙幣収納部に収納された紙幣の面と略平行な面内で動作して紙幣収納部に出入することで、紙幣収納部に収納された紙幣を押さえるため、従来の逆戻り防止レバーのように紙幣収納部に収納された紙幣の積層方向に沿って回動するものとは異なり、紙幣収納部内で収納された紙幣の積層方向に沿って逆戻り防止レバーの動作スペースを確保する必要が無いので、その分、紙幣収納部の厚みを薄くすることが可能となる。したがって、従来と同じ収納量である場合、本発明では紙幣処理装置の薄型化を図ることが可能となる。逆に、紙幣処理装置全体の幅（厚み）が従来と同じである場合、本発明では紙幣収納量の増大を図ることが可能となる。
【００１３】
また、本発明の逆戻り防止レバーは、紙幣収納機構が紙幣収納部に紙幣を収納する動作に連動して紙幣収納部に進入するので、紙幣収納部に紙幣が収納される際に、収納される紙幣と逆戻り防止レバーとが接触せずに済むようになる。これにより、紙幣収納動作を効果的に行うことができる。
【発明を実施するための最良の形態】
【００１４】
以下、添付図面を参照して本発明の実施形態を詳細に説明する。図１及び図２は、本発明の一実施形態にかかる紙幣処理装置１の外観構成を示す斜視図であり、図１は、通路形成部４０と紙幣収納部２０とを本体部２に装着した状態を示す図で、図２は、通路形成部４０と紙幣収納部２０の一部とを本体部２から前面方向に露出させた状態を示す図である。また、図３及び図４は、紙幣処理装置１の内部構成を示す概略断面図であり、図３は、図１のＡ−Ａ部分の概略断面図で、図４は、図１のＢ−Ｂ部分の概略断面図である。紙幣処理装置１は、パチンコ台などの遊技台の台間に設置される台間機（図示せず）に取り付けられるものである。紙幣処理装置１は、略矩形の箱型に形成された本体部２と、本体部２の前面２ａに配置された紙幣を挿入する紙幣挿入口４と、本体部２内に配置された紙幣収納部２０と、紙幣収納部２０に連結された通路形成部４０とを備えており、本体部２と通路形成部４０との間で紙幣挿入口４から紙幣収納部２０に通じる紙幣通路５が形成されている。紙幣処理装置１は、紙幣挿入口４を台間機のフロントパネルに露出させて、本体部２の前面２ａより後側の部分を台間機の内部に挿入して取り付けられる。なお、以下の説明では、前側又は前というときは、本体部２の前面２ａ側を指し、後側又は後というときは、本体部２の前面２ａに対する後側を指す。
【００１５】
本体部２は、縦長の略長方形状に形成された前面２ａと、一対の側面２ｂ，２ｃとを備え、前面２ａから後側に向かう方向を長手方向とする略直方体形状に形成されている。本体部２には、紙幣収納部２０と通路形成部４０とを装着する装着部３が形成されている。装着部３は、本体部２の前面２ａから後側に向かって横長の略直方体形状に切り込まれた凹部からなる。装着部３は、本体部２の前面２ａと、本体部２の側面２ｂとに開放されている。
【００１６】
図５は、紙幣収納部２０を示す斜視図である。図１及び図５に示すように、紙幣収納部２０は、装着部３の後部に装着される２面が開口したボックスからなる。すなわち、紙幣収納部２０は、紙幣の外形に沿う横長の略長方形の箱型に形成されていて、その内部に紙幣が積層されて収納されるようになっている。紙幣収納部２０は、本体部２の側面２ｂに対応する側に側壁面２０ｂを有し、前端部２０ａと本体部２側の面とが開放されている。
【００１７】
紙幣収納部２０には、収納された紙幣を保持する紙幣保持片（紙幣保持部）２１が設けられている。紙幣保持片２１は、紙幣収納部２０の後端から本体部２側に突出する一の片２１ａと、一の片２１ａの先端から前側に延伸する他の片２１ｂとが一体に形成されてなる。一の片２１ａは、紙幣収納部２０に収納された紙幣の後端辺を保持し、他の片２１ｂは、当該紙幣の本体部２側の面を保持する。また、紙幣収納部２０の上下面の後端近傍には、上下に突出する突起２３が形成されている。また、紙幣収納部２０の上下面の前端近傍には、下記する回動機構２７を構成する軸部２６が形成されている。
【００１８】
次に、本体部２に対して紙幣収納部２０を通路形成部４０と共に該本体部２の前面の方向に移動させるスライド機構３００について説明する。スライド機構３００は、本体部２の側に設けられたアーム部材３０と、該アーム部材３０に係合するように紙幣収納部２０の側に設けられた突起２３と、その他これらに関連する各種の部材で構成される。図１及び図３に示すように、装着部３内の紙幣収納部２０の上下には、一対のアーム部材３０が設置されている。両アーム部材３０は互いに対称な形状で、長手方向が前後方向に配置される棒状の部材である。アーム部材３０には、図３に示すように、長手方向に沿うスリット状の溝部３１が形成されている。溝部３１の前側の部分は、上下に開口した貫通穴３１ａになっている。
【００１９】
装着部３内の各アーム部材３０の上下には、コイルバネ３５がそれぞれ設置されている。各コイルバネ３５は、本体部２とアーム部材３０との間に架けられている。アーム部材３０は、コイルバネ３５によって前側に付勢されている。また、図３に示すように、装着部３の上下面には、円柱状の突起９が形成されている。突起９は、アーム部材３０の貫通穴３１ａに挿入される。これにより、アーム部材３０は、突起９が貫通穴３１ａ内を移動する範囲で、本体部２に対して（装着部３内を）前後にスライド移動する。一方、アーム部材３０の溝部３１には、紙幣収納部２０の突起２３が挿入される。これにより、紙幣収納部２０は、突起２３が溝部３１内を移動する範囲で、本体部２に対して（装着部３内を）前後にスライド移動する。通路形成部４０は紙幣収納部２０に連結されているため、紙幣収納部２０に伴って通路形成部４０が（装着部３内を）前後にスライド移動する。
【００２０】
また、図３に示すように、本体部２と通路形成部４０及び紙幣収納部２０との間には、通路形成部４０を装着部３内でロックする第１ロック機構８１と、紙幣収納部２０を装着部３内でロックする第２ロック機構８５とからなるロック機構が設けられている。このロック機構によって、コイルバネ３５の付勢力で装着部３から本体部２の前面の方向に移動しようとする通路形成部４０と紙幣収納部２０とが装着部３内でロックされる。なお、ロック機構の構成及び動作は下記で詳細に説明する。
【００２１】
図６は、通路形成部４０を示す図で、同図（ａ）は、通路形成部４０の左側面を概略断面にて示す図であり、同図（ｂ）は、通路形成部４０の概略右側面図である。また、図７は、紙幣回収の際に本体部２から前面方向に適量突出するように移動された通路形成部４０と紙幣収納部２０の一部とを示す斜視図である。通路形成部４０は、本体部２の装着部３の前部に装着される略矩形の箱型の部材である。通路形成部４０は、装着部３に装着された際に、その前面が本体部２の前面２ａ及び紙幣挿入口４の一部をなすようになっている。また、その際、本体部２側を向く通路形成面４１が、紙幣通路５の一方の面を形成するようになっている。
【００２２】
通路形成部４０は、紙幣収納部２０の前端部２０ａに回動機構２７で回動自在に連結されている。回動機構２７は、図７に示すように、紙幣収納部２０の軸部２６と、通路形成部４０に形成されて該軸部２６に回転自在に係合する係合片４２とで構成されている。回動機構２７は、通路形成部４０を紙幣収納部２０に対して左右に回動させるようになっている。また、係合片４２と紙幣収納部２０との間には、コイルバネ２５が架けられている。コイルバネ２５の付勢力で、通常時は、図７（ａ）に示すように、通路形成部４０が紙幣収納部２０とほぼ平行になっていて、通路形成部４０で紙幣収納部２０の前端部２０ａがほぼ塞がれている。一方、図７（ｂ）に示すように、通路形成部４０を回動させると、紙幣収納部２０の前端部２０ａが開放されるようになっている。
【００２３】
図８は、本体部２の一方の側面（装着部３が形成された側面）２ｂを示す側面図で、装着部３から紙幣収納部２０と通路形成部４０を取り外した状態を示す図である。また、図９は、本体部２の他方の側面２ｃを示す側面図である。図８に示すように、装着部３の側面（底面）に相当する本体部２の側面部分は、紙幣通路５の面を形成する通路形成面３ａになっている。通路形成面３ａの前部には、紙幣通路５に沿って紙幣を搬送する一対の搬送ベルト１１と、搬送ベルト１１がそれぞれ懸架された一対の駆動プーリ１２ａ及び従動プーリ１２ｂが設置されている。図９に示すように、駆動プーリ１２ａには、シャフト１３ａと該シャフト１３ａに固定されたローラ１３ｂとで回転を伝達する回転伝達機構１３が接続されており、回転伝達機構１３を介してモータ１４の駆動力が駆動プーリ１２ａに伝達されて駆動プーリ１２ａが回転し、搬送ベルト１１が送られるようになっている。
【００２４】
また、図８に示すように、装着部３の前部の上下面には、紙幣識別用のセンサー光を投光する複数の投光口５１が設けられている。また、各投光口５１に対応する位置には、投光口５１へセンサー光を照射する発光素子５２が設置されている。また、装着部３の前部の通路形成面３ａには、投光口５１から投光されたセンサー光を受光する受光素子５３が設置されている。受光素子５３は、紙幣通路５の幅方向と前後方向の複数の個所に配置されている。後述するように、投光口５１から投光されたセンサー光は、受光素子５３にて受光されるように、通路形成部４０内の導光部材５８によって方向転換される。また、通路形成面３ａには、紙幣識別用の磁気ヘッド５４が設置されている。磁気ヘッド５４は、紙幣通路５の左右両側近傍に一対設置されている。また、通路形成面３ａには、紙幣通路５を通る紙幣の引き抜きを防止する引き抜き防止シャッター７２が設置されている。引き抜き防止シャッター７２の構成及び動作については、下記で詳細に説明する。
【００２５】
一方、図６（ｂ）に示すように、通路形成部４０の通路形成面４１には、複数の従動ローラ６１が設置されている。各従動ローラ６１は、通路形成部４０が装着部３に装着された際に、各搬送ベルト１１に対向する位置に配置されている。また、通路形成面４１には、一対のローラ５５が設置されている。各ローラ５５は、通路形成部４０が装着部３に装着された際に、各磁気ヘッド５４に対向する位置に配置されている。ローラ５５は、紙幣通路５を通る紙幣を磁気ヘッド５４に圧接させるものである。また、通路形成面４１には、引き抜き防止シャッター７２の先端が挿入される溝部６２が形成されている。
【００２６】
また、通路形成部４０の上下面には、本体部２の投光口５１から投光された光が導入される導入口５６が設けられ、通路形成面４１には、導入口５６から導入された光が導出される導出口５７が設けられている。そして図６（ａ）に示すように、通路形成部４０内には、導光部材５８が設置されている。導光部材５８は、導入口５６から導入された光を導出口５７へ導くための部材で、導入口５６から導出口５７に通じている。導光部材５８は、透明又は半透明の合成樹脂製の部材からなる。各導光部材５８は、各導入口５６から上方又は下方に延伸し、その先で通路形成面４１の方へ直角に屈曲して、各導出口５７に至っている。一方、通路形成部４０には、紙幣収納部２０に収納された紙幣が紙幣一時保留用スペース２００側へ戻ることを防止する紙幣逆戻り防止機構４００の構成部品である逆戻り防止レバー１１６が設置されている。なお、紙幣逆戻り防止機構４００の構成及び動作については、下記で詳細に説明する。
【００２７】
本体部２に設けられた発光素子５２及び受光素子５３と、通路形成部４０に設けられた導光部材５８とで、紙幣通路５を通る紙幣の有無、及び紙幣の表面の濃淡を検知する光センサーが構成されている。この光センサーでは、発光素子５２から照射されたセンサー光が、通路形成部４０の導入口５６から導光部材５８を介して導出口５７へ導かれる。導出口５７から出たセンサー光は、紙幣通路５を通る紙幣の面と直交する方向に紙幣通路５を横断して、受光素子５３で受光される。一方、上記の磁気ヘッド５４とローラ５５とで、紙幣通路５を通る紙幣による磁気の変化を検出する磁気センサーが構成されている。上記の光センサーと磁気センサーとで、紙幣挿入口４からの紙幣の挿入、及び挿入された紙幣の正偽を判別する紙幣識別手段が構成されている。
【００２８】
また、図４に示すように、本体部２と通路形成部４０との間に形成された紙幣通路５は、紙幣収納部２０の入口である投入紙幣一時保留用のスペース２００に略直線状に通じている。紙幣（投入紙幣）は紙幣通路５を通過する過程で正貨と判定されると、該紙幣の後端が紙幣通路５の搬送ベルト１１と従動ローラ６１との間で挟み込まれた状態で搬送停止される。この状態では、投入紙幣の大部分が投入紙幣一時保留用のスペース２００内に入り込んでおり、後述するように該投入紙幣の両側縁が一対の紙幣案内ドラム１０１のスリット１０１ａの間で保持され、その状態で一時保留される。この状態から投入紙幣を挿入口４に向けて返却する場合は、搬送ベルト１１の回転方向を逆向きに駆動して投入紙幣一時保留用のスペース２００にある紙幣を返却する。一方、投入紙幣の受け入れが確定すると、後述するように、一対の紙幣案内ドラム１０１の回転により、一時保留用スペース２００で一時保留されていた紙幣が紙幣収納部２０の方に（紙幣の面に垂直な方向に）押しやられ、該紙幣収納部２０内に収納される（紙幣束Ｗの上に集積される）。なお、公知のように、紙幣（投入紙幣）が紙幣通路５を通過する過程で偽貨と判定されると、搬送ベルト１１の回転方向を逆向きに駆動して紙幣挿入口４に向けて返却する。
【００２９】
ここで、紙幣通路５を通る紙幣の引き抜きを防止するシャッター機構７０について説明する。図１０は、シャッター機構７０の構成及び動作を説明するための図で、（ａ），（ｃ），（ｅ）は各種の動作状態における図９のＣ−Ｃ部分の概略断面図、（ｂ），（ｄ），（ｆ）はそれに対応する図９のＤ−Ｄ部分の概略断面図である。シャッター機構７０は、図９及び図１０に示すように、本体部２に回転自在に取り付けられたシャフト７１と、シャフト７１に固定された引き抜き防止シャッター７２と、シャフト７１を回転させるシャッターレバー７３と、シャッターレバー７３を移動させるシャッターソレノイド７５を備えている。シャフト７１は、通路形成面３ａの裏面に設置され、その軸方向が前後方向に対して直交する上下方向に配置されている。引き抜き防止シャッター７２は、シャフト７１の周面から突出する突出片からなる。この引き抜き防止シャッター７２は、通路形成面３ａに設けた開口部１５から紙幣通路５内に出没するようになっている。シャフト７１は、図示しないコイルバネ（ねじりコイルバネ）などの付勢手段で、引き抜き防止シャッター７２が紙幣通路５内に突出する方向に回転するように付勢されている。また、シャフト７１の端部近傍には、シャッターレバー７３を当接させる当接部７１ａが設けられている。
【００３０】
シャッターレバー７３は、図１０に示すように、その長手方向が前後方向に沿うように延びた細長い平板状の部材である。シャッターレバー７３は、前後に移動可能に設置されている。また、シャッターレバー７３には、長手方向の側方に突出する突出部７３ｂが形成されている。突出部７３ｂは、シャッターソレノイド７５の可動芯に接続されている。したがって、シャッターソレノイド７５によってシャッターレバー７３は前後に移動される。また、シャッターソレノイド７５と突出部７３ｂとの間には、コイルバネ７６が設置されている。コイルバネ７６によって、シャッターレバー７３はシャフト７１から離れる方向に付勢される。また、シャッターレバー７３の一方の端部７３ａは、シャフト７１の当接部７１ａに当接するようになっている。一方、シャッターレバー７３の他方の端部７３ｃは、図８及び図９に示すように、本体部２に設けた開口部１６から装着部３に突出している。このシャッターレバー７３の端部７３ｃに、装着部３内で移動するアーム部材３０が当接するようになっている。
【００３１】
次に、シャッター機構７０の動作について説明する。まず、図１０（ａ）及び（ｂ）に示す待機状態では、引き抜き防止シャッター７２が、紙幣通路５に突出して紙幣通路５を閉鎖している。このとき、シャッターソレノイド７５が作動しておらず、シャッターレバー７３はコイルバネ７６によってシャフト７１から離れるように付勢されていて、シャフト７１の当接部７１ａを押していない。この状態で、シャッターソレノイド７５を作動させると、図１０（ｃ）及び（ｄ）に示すように、シャッターレバー７３がシャフト７１に近づく方向に引かれ、シャッターレバー７３の端部７３ａがシャフト７１の当接部７１ａを押圧する。これにより、シャフト７１が同図に示す時計回りに回転し、引き抜き防止シャッター７２が紙幣通路５から退避する。シャッターソレノイド７５のオン・オフ制御は、搬送ベルト１１の駆動及び紙幣識別動作に連動させて行うのがよい。すなわち、挿入口４に紙幣が挿入されたことで搬送ベルト１１の紙幣取込駆動が開始されたら、シャッターソレノイド７５を作動して引き抜き防止シャッター７２を紙幣通路５から退避させ、投入紙幣が正貨と判別された瞬間にシャッターソレノイド７５をオフにして引き抜き防止シャッター７２を紙幣通路５に突出させる。また、一時保留用スペース２００に一時保留されていた紙幣を返却するために搬送ベルト１１の返却駆動が開始されたら、シャッターソレノイド７５を作動して引き抜き防止シャッター７２を紙幣通路５から退避させる。
【００３２】
また、シャッターソレノイド７５が作動しなくても、図１０（ｅ）及び（ｆ）に示すように、アーム部材３０が装着部３内で前側に移動すると、アーム部材３０がシャッターレバー７３に当接してこれを押圧する。すると、シャッターレバー７３がシャフト７１に近づく方向に移動し、シャッターレバー７３の端部７３ａがシャフト７１の当接部７１ａを押圧する。これにより、シャフト７１が同図に示す時計回りに回転し、引き抜き防止シャッター７２が紙幣通路５から退避する。なお、アーム部材３０が装着部３内で前側に移動している間は、アーム部材３０によって常にシャッターレバー７３が前側に押されているので、引き抜き防止シャッター７２が紙幣通路５から退避した状態が維持される。
【００３３】
次に、紙幣収納部２０と通路形成部４０を装着部３内でロックするロック機構及びそのロックを解除するロック解除機構について説明する。図１１は、ロック機構とロック解除機構とを示す図で、本体部２の側面２ｃの部分拡大図である。同図に示すように、ロック機構は、通路形成部４０をロックする第１ロック機構８１と、紙幣収納部２０をロックする第２ロック機構８５とからなる。第１ロック機構８１は、本体部２に回転自在に取り付けられた第１ロック部材８２を備えている。第１ロック部材８２は、軸方向が前後方向に沿うように配置されたシャフト８３の外周に、回転自在に取り付けられている。第１ロック部材８２の周面には、小突起からなる第１ロック爪８２ａが形成されている。第１ロック爪８２ａは、第１ロック部材８２の回動によって、装着部３の下面の開口部１７（図８参照）から装着部３内に突出するようになっている。また、第１ロック部材８２の周面の他の位置には、下記するロック解除レバー９１の軸部９１ａを当接させる当接部８２ｂが設けられている。
【００３４】
第２ロック機構８５は、本体部２に回転自在に取り付けられた第２ロック部材８６を備えている。第２ロック部材８６は、第１ロック部材８２よりも後側の位置に設置されている。第２ロック部材８６は、第１ロック部材８２を取り付けているシャフト８３の後方の外周に回転自在に取り付けられている。第２ロック部材８６の周面には、小突起からなる第２ロック爪８６ａが形成されている。第２ロック爪８６ａは、第２ロック部材８６の回転によって、装着部３の下面の開口部１８（図８参照）から装着部３に突出するようになっている。また、第２ロック部材８６の周面の他の位置には、下記するロック解除レバー９１をリンク係合（回転自在に係合）させるリンク係合部８６ｂが設けられている。
【００３５】
第１ロック部材８２は、シャフト８３の外周に取り付けられたコイルバネ（ねじりコイルバネ）８４によって、第１ロック爪８２ａが開口部１７から突出するように付勢されている。一方、第２ロック部材８６は、下記するロック解除レバー９１を付勢するコイルバネ９２の付勢力で、第２ロック爪８６ａが開口部１８から突出するように付勢されている。
【００３６】
図１２は、紙幣収納部２０の一部と通路形成部４０とを下側から見た斜視図である。同図に示すように、通路形成部４０の下面には、第１ロック爪８２ａを係合させる第１係合部８８が設けられている。第１係合部８８は、通路形成部４０の下面を略矩形状に窪ませた凹部からなる。一方、紙幣収納部２０の下面には、第２ロック爪８６ａを係合させる第２係合部８９が設けられている。第２係合部８９は、紙幣収納部２０の下面を略矩形状に窪ませた凹部からなる。
【００３７】
次に、ロック解除機構９０について説明する。ロック解除機構９０は、図１１に示すように、第１ロック部材８２と第２ロック部材８６を回動させるロック解除レバー（ロック解除部材）９１と、ロック解除レバー９１を移動させるロック解除ソレノイド９３と、ロック解除レバー９１を付勢するコイルバネ９２とを備えている。ロック解除レバー９１は、その長手方向が上下方向に配置された略棒状の部材で、上端が第２ロック部材８６のリンク係合部８６ｂにリンク係合されている。また、上端の側面には、円柱状の軸部９１ａが形成されている。軸部９１ａは、第１ロック部材８２の当接部８２ｂに当接するようになっている。一方、ロック解除レバー９１には、下端部から長手方向に対して直角に突出する突出部９１ｂが形成されている。この突出部９１ｂに、ロック解除ソレノイド９３の可動芯が接続されている。したがって、ロック解除ソレノイド９３によって、ロック解除レバー９１は上下に移動される。また、突出部９１ｂとロック解除ソレノイド９３との間には、コイルバネ９２が介在している。コイルバネ９２によって、ロック解除レバー９１は下方に付勢されている。
【００３８】
図１３は、第１ロック機構８１を前後方向から見た部分拡大断面図であり、図１４は、第２ロック機構８５を前後方向から見た部分拡大断面図である。これらの図を用いて第１ロック機構８１と第２ロック機構８５とロック解除機構９０の動作について説明する。まず、図１３に示す第１ロック機構８１では、通路形成部４０が装着部３に装着されているとき、図１３（ａ）に示すように、第１ロック爪８２ａが第１係合部８８に係合して通路形成部４０がロックされている。ロック解除ソレノイド９３が作動していない時は、ロック解除レバー９１がコイルバネ９２で下方に付勢されているので、ロック解除レバー９１の軸部９１ａが第１ロック部材８２を押圧しない。したがって、通路形成部４０のロックが維持される。その状態でロック解除ソレノイド９３が作動すると、図１３（ｂ）に示すように、ロック解除レバー９１が上方に移動され、第１ロック部材８２の当接部８２ｂが軸部９１ａで押圧されて、第１ロック部材８２が同図に示す時計回りに回転される。これにより、第１ロック爪８２ａと第１係合部８８との係合が外れ、第１ロック機構８１のロックが解除される。
【００３９】
図１４に示す第２ロック機構８５では、紙幣収納部２０が装着部３に装着されているとき、図１４（ａ）に示すように、第２ロック爪８６ａが第２係合部８９に係合して紙幣収納部２０がロックされている。ロック解除ソレノイド９３が作動していない時は、ロック解除レバー９１がコイルバネ９２によって下方に付勢されているので、紙幣収納部２０のロックが維持される。その状態でロック解除ソレノイド９３が作動すると、図１４（ｂ）に示すように、ロック解除レバー９１が上方に移動され、第２ロック部材８６が同図に示す時計回りに回転される。これにより、第２ロック爪８６ａと第２係合部８９との係合が外れ、第２ロック機構８５のロックが解除される。
【００４０】
上記のように、ロック解除ソレノイド９３が作動していない時は、第１ロック部材８２は、コイルバネ８４の付勢力で通路形成部４０をロックし、第２ロック部材８６は、コイルバネ９２の付勢力で紙幣収納部２０をロックしている。一方、ロック解除ソレノイド９３が作動すると、ロック解除レバー９１によって、第１ロック部材８２と第２ロック部材８６とが同時に回動される。これにより、第１ロック機構８１のロックと第２ロック機構８５のロックとが同時に解除される。
【００４１】
ここで、紙幣処理装置１において、紙幣収納部２０内に収納された紙幣束を回収するために、本体部２から通路形成部４０と紙幣収納部２０のとを部分的に引き出す（スライド移動する）際の動作について説明する。図１５及び図１６は、この動作を説明するための図である。まず先の図３に示すように、通路形成部４０と紙幣収納部２０とが装着部３に装着されているときは、紙幣収納部２０の突起２３がアーム部材３０の溝部３１の後端部に当接している。一方、アーム部材３０は、コイルバネ３５の付勢力で前側に付勢されているので、紙幣収納部２０がアーム部材３０によって前側に押された状態になっている。また、その一方で、第１ロック機構８１で通路形成部４０がロックされ、第２ロック機構８５で紙幣収納部２０がロックされている。これらによって、紙幣収納部２０と通路形成部４０とは、装着部３内で前後の移動がロックされて停止している。
【００４２】
この状態で、ロック解除ソレノイド９３を作動させてロック解除レバー９１を移動させ、第１ロック機構８１と第２ロック機構８５のロックを同時に解除すると、コイルバネ３５の付勢力で前側に移動するアーム部材３０が、紙幣収納部２０の突起２３を押すことで、図１５に示すように、通路形成部４０と紙幣収納部２０とが、装着部３から前側にスライド移動する。アーム部材３０は、装着部３の前面に当接する位置まで前側にスライド移動して、その位置で停止する。本体部２の前面２ａから出た通路形成部４０を手でさらに前側に引き出せば、紙幣収納部２０と通路形成部４０とが前側にスライド移動する。図１６に示すように、紙幣収納部２０の突起２３と本体部２の突起９とが当接する位置で、紙幣収納部２０と通路形成部４０とが停止する。こうして、紙幣収納部２０の前側の部分と通路形成部４０とが、本体部２の前面２ａから部分的に引き出され（前面方向に露出され）、移動を終了する。
【００４３】
一方、通路形成部４０と紙幣収納部２０とが前側に移動を開始するときに、装着部３内で前側に移動するアーム部材３０が、装着部３の前面に当接する前に、シャッターレバー７３の端部７３ｃに当接してこれを押圧する。これにより、シャッターレバー７３が前側に移動する。移動するシャッターレバー７３がシャフト７１を回転させることで、引き抜き防止シャッター７２が回動して、紙幣通路５の断面から退避する。したがって、通路形成部４０と紙幣収納部２０とが装着部３から取り出される際に、引き抜き防止シャッター７２が紙幣通路５から退避するので、通路形成部４０や紙幣収納部２０、あるいは紙幣収納部２０に収納されている紙幣などに、引き抜き防止シャッター７２が引っ掛かるおそれがなく、通路形成部４０と紙幣収納部２０との取り出しがスムーズに行なわれる。また、引き抜き防止シャッター７２が、通路形成部４０などに接触してシャッター機構７０が故障することを防止できる。
【００４４】
さらに、通路形成部４０と紙幣収納部２０とが装着部３から移動する間は、コイルバネ３５によってアーム部材３０が常に前側に付勢されているので、シャッターレバー７３が前側へ押された状態が維持されて、引き抜き防止シャッター７２が紙幣通路５から退避した状態が維持される。したがって、通路形成部４０と紙幣収納部２０とを装着部３から前方に移動する間や、これらを装着部３へ戻すときにも、通路形成部４０や紙幣収納部２０に引き抜き防止シャッター７２が接触するおそれがない。
【００４５】
装着部３から本体部２の前面方向に通路形成部４０と紙幣収納部２０とを移動し終えたら、図７（ｂ）に示すように、通路形成部４０を回動させることで、紙幣収納部２０の前端部２０ａを開く（前端部２０ａの開口を露出させる）ことができる。これにより、紙幣収納部２０に収納されている紙幣Ｗを前方に向かって真直ぐに取り出すことができるので、紙幣の取り出しが容易に行なえる。また、紙幣の回収作業を紙幣処理装置１の前方のスペースだけで行えるようになる。
【００４６】
また、移動後の通路形成部４０と紙幣収納部２０とを本体部２に戻すには、通路形成部４０と紙幣収納部２０とを本体部２の前面２ａから押し込む。すると、紙幣収納部２０の突起２３がアーム部材３０の溝部３１の後端部に当接し、アーム部材３０が押されて後側へ移動する。通路形成部４０と紙幣収納部２０とが装着部３に完全に装着される位置で、第１ロック機構８１と第２ロック機構８５とがロックされる。これにより、通路形成部４０と紙幣収納部２０とが装着部３に装着される。
【００４７】
次に、紙幣通路５の紙幣を紙幣収納部２０へ収納する紙幣収納機構１００について説明する。紙幣収納機構１００は、図８に示すように、本体部２の装着部３内に設置された一対の紙幣案内ドラム１０１と、紙幣押圧プレート１１０とを備えている。紙幣案内ドラム１０１は、通路形成面３ａの上部及び下部にそれぞれ配置されている。紙幣案内ドラム１０１は、その回転軸が前後方向に延びるように配置された中空円筒状の部材で、中心軸を中心に回転自在に設置されている。紙幣案内ドラム１０１の側面には、図４に示すように、軸方向に沿って直線状のスリット１０１ａが形成されている。前述のように、紙幣挿入口４から挿入された紙幣（投入紙幣）は、紙幣通路５を通過し、更に直線的に進行して一対の紙幣案内ドラム１０１の両スリット１０１ａの間に侵入し、該スリット１０１ａに案内されて投入紙幣一時保留用のスペース２００内に投入紙幣の大部分が入り込んだ状態で搬送ベルト１１の駆動が停止され、該スペース２００内にて投入紙幣が一時保留される。このとき、投入紙幣の後端が紙幣通路５の搬送ベルト１１と従動ローラ６１とで挟み込まれていて、搬送ベルト１１を逆駆動することで投入紙幣の返却が可能である。
【００４８】
また、本体部２には、図９に示すように、紙幣案内ドラム１０１を回転させるモータ１０２と、モータの回転を伝達する回転伝達機構（図示せず）が設置されている。モータ１０２による回転が、回転伝達機構で両紙幣案内ドラム１０１に伝達されることで、両紙幣案内ドラム１０１は、互いに同位相で逆方向に回転するようになっている。また、紙幣押圧プレート１１０は、両紙幣案内ドラム１０１の間であって、紙幣案内ドラム１０１の長手方向の中間部付近に設置されている板状の部材である。この紙幣押圧プレート１１０は、紙幣案内ドラム１０１の回転に連動してその面が紙幣収納部２０に近づく方向に移動するように構成されている。投入紙幣の受け入れが確定すると、一対の紙幣案内ドラム１０１を前述のように互いに逆方向に回転させ、かつ紙幣押圧プレート１１０の押し込み動作を行わせることで、一時保留用スペース２００で一時保留されていた紙幣を紙幣収納部２０の方に（紙幣の面に垂直な方向に）押しやり、該紙幣収納部２０内に収納する（紙幣束Ｗの上に集積する）。このとき、搬送ベルト１１を紙幣受け入れ方向に駆動して、投入紙幣の後端が紙幣通路５の搬送ベルト１１と従動ローラ６１との間に挟み込まれていた状態を解除するとよい。
【００４９】
次に、紙幣逆戻り防止機構４００について説明する。紙幣逆戻り防止機構４００は、図６（ａ）に示す通路形成部４０に設置された逆戻り防止レバー１１６と、図８に示す一方の紙幣案内ドラム（通路形成面３ａの下部に設置された紙幣案内ドラム）１０１に設けられた当接面（当接部）１２０とで構成されている。逆戻り防止レバー１１６は、２つの先端１１６ａ，１１６ｂを持つように略Ｕ字型に形成された細板状の部材で、回動軸部１１７を支点に、通路形成部４０の前後方向に沿う平面内、すなわち、紙幣収納部２０内に収納される紙幣の面と略平行な面内で回動自在に設置されている。逆戻り防止レバー１１６は、その一方の端部（以下「作用端」という）１１６ａが紙幣収納部２０に収納された紙幣を押さえるようになっていて、他方の端部（以下、「当接端」という）１１６ｂが紙幣案内ドラム１０１の当接面１２０に当接するようになっている。
【００５０】
逆戻り防止レバー１１６は、作用端１１６ａが、通路形成部４０の後端から出て紙幣収納部２０の前端部２０ａから紙幣一時保留用スペース２００内に進入するようになっている。すなわち、作用端１１６ａは、一対の紙幣案内ドラム１０１の端部の間から紙幣一時保留用スペース２００の前部に進入する。また、逆戻り防止レバー１１６と通路形成部４０との間には、コイルバネ１１８が架けられている。逆戻り防止レバー１１６は、このコイルバネ１１８によって、図６（ａ）に示す反時計回りに回動された際に、時計回り方向に戻るように付勢されている。
【００５１】
図１７は、通路形成面３ａの下部に設置された紙幣案内ドラム１０１を示す斜視図である。同図に示すように、紙幣案内ドラム１０１の当接面１２０には、紙幣案内ドラム１０１の端面の回転軸１０１ｂの周りに沿って、高さ（回転軸１０１ｂの軸方向の高さ、以下同じ）が互いに異なる第１の部分１２０ａと第２の部分１２０ｂと第３の部分１２０ｃとが時計回りで順に形成されている。第１の部分１２０ａは、円周方向に沿って高さが一定である平面状の部分であり、第２の部分１２０ｂは、第１の部分１２０ａから段部１２１を介して高さが低くなる部分であり、第３の部分１２０ｃは、第２の部分１２０ｂから時計回りで傾斜面状に徐々に高さが高くなって第１の部分１２０ａと同じ高さに戻る部分である。この当接面１２０は、逆戻り防止レバー１１６を紙幣案内ドラム１０１による紙幣収納動作に連動させて動かすためのカム機構に相当する。すなわち、紙幣案内ドラム１０１の回転に伴って、逆戻り防止レバー１１６の当接端１１６ｂが、これら第１の部分１２０ａと第２の部分１２０ｂと第３の部分１２０ｃとに対向する位置を順に移動する。これにより、逆戻り防止レバー１１６の当接端１１６ｂが当接面１２０に当接・離間することで、逆戻り防止レバー１１６が回動軸部１１７を支点に回動し、作用端１１６ａが紙幣一時保留用スペース２００に進入・退避する。以下、紙幣案内ドラム１０１と逆戻り防止レバー１１６の動作をさらに詳細に説明する。
【００５２】
図１８及び図１９は、紙幣案内ドラム１０１の回転に伴う逆戻り防止レバー１１６の動作を説明するための図で、図１８は、紙幣案内ドラム１０１の一端と逆戻り防止レバー１１６とを紙幣案内ドラム１０１の回転軸１０１ｂの軸方向の側方から見た部分拡大図であり、図１９は、紙幣案内ドラム１０１の当接面１２０を回転軸１０１ｂの軸方向から見た部分拡大図である。まず、紙幣通路５から紙幣案内ドラム１０１のスリット１０１ａに形成された紙幣一時保留用スペース２００に送り込まれた紙幣Ｗが、該紙幣一時保留用スペース２００に一時保留されている間は、図１８（ａ）及び図１９（ａ）に示すように、紙幣案内ドラム１０１が初期位置で待機している。このとき、逆戻り防止レバー１１６の当接端１１６ｂは、当接面１２０の第１の部分１２０ａに当接している。逆戻り防止レバー１１６は、当接端１１６ｂが第１の部分１２０ａによって押圧されていることで、コイルバネ１１８の付勢力に抗して図１８（ａ）に示す反時計回りに回転された状態で、作用端１１６ａが紙幣一時保留用スペース２００内に一杯に進入している。このとき、逆戻り防止レバー１１６の作用端１１６ａは、紙幣一時保留用スペース２００にて一時保留されている紙幣Ｗと紙幣収納部２０との間を遮るような位置にある。
【００５３】
紙幣一時保留用スペース２００に一時保留されている紙幣Ｗを紙幣収納部２０内に収納（集積）するときは、図１９（ｂ）における反時計方向に一方の紙幣案内ドラム１０１を回転し、同時に、他方の紙幣案内ドラム１０１を時計方向に回転する。すると、スリット１０１ａで保持された紙幣Ｗが、紙幣収納部２０に向かって紙幣面に垂直方向に平行移動する。一方、紙幣案内ドラム１０１の回転により、逆戻り防止レバー１１６の当接端１１６ｂに対向する位置が、当接面１２０の第１の部分１２０ａから第２の部分１２０ｂへ移動する。逆戻り防止レバー１１６の当接端１１６ｂが、第１の部分１２０ａと第２の部分１２０ｂとの間の段部１２１を通過する際に、当接端１１６ｂが第１の部分１２０ａから外れる。すると、図１８（ｂ）に示すように、コイルバネ１１８の付勢力で、逆戻り防止レバー１１６が時計回りに回動する。これにより、逆戻り防止レバー１１６の作用端１１６ａが、紙幣一時保留用スペース２００から退避する。
【００５４】
逆戻り防止レバー１１６の作用端１１６ａが紙幣一時保留用スペース２００から退避することに伴い、紙幣案内ドラム１０１のスリット１０１ａで移動される紙幣Ｗが、逆戻り防止レバー１１６の位置（逆戻り防止レバー１１６と同一平面内の位置）を通過する。こうして、逆戻り防止レバー１１６は、紙幣収納部２０へ収納されるために移動する紙幣Ｗを自動的に回避するように連動して動かされる。よって、紙幣Ｗが逆戻り防止レバー１１６と接触することなく、紙幣収納部２０へ収納される。紙幣Ｗが逆戻り防止レバー１１６の位置を越えるまでの間は、図１８（ｂ）及び図１９（ｂ）に示すように、逆戻り防止レバー１１６の当接端１１６ｂが、当接面１２０の第２の部分１２０ｂに対向している。この状態では、コイルバネ１１８が自然長になっていて、逆戻り防止レバー１１６の当接端１１６ｂが当接面１２０に当接しないので、逆戻り防止レバー１１６は回動しない。
【００５５】
そして、紙幣案内ドラム１０１のスリット１０１ａで保持された紙幣Ｗが、逆戻り防止レバー１１６の位置を越えて紙幣収納部２０へ収納されると、図１８（ｃ）及び図１９（ｃ）に示すように、逆戻り防止レバー１１６の当接端１１６ｂが、当接面１２０の第３の部分１２０ｃに当接する。それ以降、紙幣案内ドラム１０１の回転に伴い、逆戻り防止レバー１１６の当接端１１６ｂが第３の部分１２０ｃを移動するので、図１８（ｃ）に示すように、逆戻り防止レバー１１６が反時計回りに徐々に回転する。これにより、逆戻り防止レバー１１６の作用端１１６ａが次第に紙幣一時保留用スペース２００内に進入していく。
【００５６】
こうして、紙幣案内ドラム１０１が一回転して初期位置に戻ったときには、図１８（ａ）及び図１９（ａ）に示すように、逆戻り防止レバー１１６の当接端１１６ｂが再び当接面１２０の第１の部分１２０ａに当接し、作用端１１６ａが紙幣一時保留用スペース２００に一杯に進入した状態になる。したがって、紙幣収納部２０に紙幣Ｗが収納された後は、紙幣一時保留用スペース２００内に逆戻り防止レバー１１６の作用端１１６ａが配置されるので、収納された紙幣Ｗの束の端辺（両紙幣案内ドラム１０１の間の端辺）が逆戻り防止レバー１１６の作用端１１６ａで押さえられて、収納紙幣束Ｗが紙幣一時保留用スペース２００の方へ戻る（若しくは撓む）ことが防止される。従って、収納済の紙幣束Ｗを紙幣一時保留用スペース２００の方へ戻す（撓ませる）ことなく整頓することができ、次の投入紙幣が紙幣一時保留用スペース２００に導入されるときに障害を生じさせない。
【００５７】
次に、上記の紙幣処理装置１における、紙幣挿入口４に紙幣が挿入された際の紙幣の処理動作について説明する。紙幣挿入口４に紙幣が挿入されると、紙幣通路５の最前部の光センサーによって紙幣の挿入が検出される。するとシャッターソレノイド７５が作動し、引き抜き防止シャッター７２が紙幣通路５から退避して、紙幣通路５が開放される。また、紙幣の挿入の検知に基づいて、モータ１４が駆動されて搬送ベルト１１が順方向に送られる。これにより、紙幣挿入口４に挿入された紙幣が搬送ベルト１１と従動ローラ６１で把持されて、紙幣通路５を前側から後側に搬送されていく。紙幣が紙幣通路５を通る際に、紙幣識別手段によって紙幣の正偽が判別される。
【００５８】
紙幣識別手段によって紙幣が正貨と判断されると、この正貨と判断された紙幣は前述のように紙幣一時保留用スペース２００で一時保持される。一方、紙幣が偽貨と判断されると、搬送ベルト１１の送り方向が逆転されて、紙幣が紙幣挿入口４へ戻されて返却される。なお、投入紙幣が正貨と判断され、かつ、適宜の光センサーで紙幣の後端が引き抜き防止シャッター７２を通過したことが確認されると、シャッターソレノイド７５が停止され、引き抜き防止シャッター７２が紙幣通路５に突出して紙幣通路５が閉鎖される。
【００５９】
前述のように、紙幣一時保留用スペース２００で一時保留している投入紙幣の受け入れが確定すると、紙幣案内ドラム１０１が回転され、各紙幣案内ドラム１０１の各スリット１０１ａで両側縁が保持された紙幣は、該紙幣案内ドラム１０１の回転により紙幣面に垂直な方向に、すなわち紙幣収納部２０内へ押される。また、その際、紙幣案内ドラム１０１の回転に連動して、紙幣押圧プレート１１０が紙幣収納部２０の方へ移動し、紙幣をその面に垂直な方向にすなわち紙幣収納部２０の内部へ押し出す。これらによって、紙幣が紙幣収納部２０に収納される。紙幣が紙幣案内ドラム１０１と紙幣押圧プレート１１０で紙幣収納部２０へ押し出された後、紙幣案内ドラム１０１が更に回転して、最初に紙幣を受け入れる初期位置に戻る。そのとき紙幣押圧プレート１１０も初期位置に戻る。これにより、紙幣収納機構１００が次の紙幣を受け入れ可能な状態になる。また、この一連の収納動作に際して上記のように紙幣逆戻り防止機構４００が動作することで、逆戻り防止レバー１１６が紙幣収納動作の邪魔にならないように連動して動き、かつ収納動作が完了すると該逆戻り防止レバー１１６によって紙幣収納部２０に収納された紙幣の戻り（撓み）を防止する状態となる。
【００６０】
以上説明したように、紙幣処理装置１が備える紙幣逆戻り防止機構４００は、紙幣収納部２０に収納された紙幣の面と平行な面内で動作することで、紙幣収納部２０に進入する逆戻り防止レバー１１６を備えるので、従来の紙幣処理装置が備える逆戻り防止レバーのように、紙幣収納部に収納された紙幣の積層方向に沿って回動する場合と異なり、紙幣収納部内に収納された紙幣の積層方向に沿って逆戻り防止レバーの動作スペースを確保する必要が無い。したがって、その分、紙幣収納部の厚みを薄くすることが可能となる。これにより、紙幣処理装置の薄型化を図ることが可能となる。
【００６１】
また、紙幣処理装置１では、紙幣案内ドラム１０１の回転により、紙幣案内ドラム１０１に設けた当接面１２０に当接する逆戻り防止レバー１１６が、この当接面１２０で押圧されて回転することで、紙幣収納部２０に進入・退避するので、簡単な構成で、逆戻り防止レバー１１６が紙幣案内ドラム１０１の回転に連動して紙幣収納部２０に進入・退避するようにできる。
【００６２】
また、紙幣処理装置１では、紙幣案内ドラム１０１の回転で、逆戻り防止レバー１１６が当接面１２０で押圧されることで、紙幣通路５の紙幣が紙幣収納部２０に収納される際に、逆戻り防止レバー１１６が紙幣収納部２０から退避し、紙幣が紙幣収納部２０に収納されたら、逆戻り防止レバー１１６が紙幣収納部２０に進入するので、紙幣収納部２０に紙幣が収納される際に、逆戻り防止レバー１１６が収納される紙幣と接触することを防止できるようになる。これにより、紙幣収納部２０に紙幣が収納される際の紙幣収納動作を効果的に行うことができる。
【００６３】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、上記実施形態で示す紙幣逆戻り防止機構４００が備える逆戻り防止レバー１１６の構成は一例である。本発明の紙幣処理装置が備える逆戻り防止レバーは、紙幣収納部に収納された紙幣の面と略平行な面内で動作することで紙幣収納部に進退するように構成したものであれば、本実施形態のように回動することで紙幣収納部に進退するものには限らず、それ以外にも、例えば、紙幣収納部に収納された紙幣の面と略平行な面内で直線方向に沿って前後移動することで紙幣収納部に進退するように構成したものでもよい。
【００６４】
また、上記実施形態で示す逆戻り防止レバーを動作させる機構は一例である。本発明の紙幣処理装置が備える逆戻り防止レバーは、紙幣収納機構が紙幣収納部に紙幣を収納する動作に連動して紙幣収納部に進入・退避するように構成したものであれば、上記実施形態に示す以外の機構によって動作するものであってもよい。例えば、機械式カム機構等を用いた機械的連動構成に限られることなく、紙幣案内ドラム１０１のモータ回転位置をセンサで検出して該検出位置データに応じて逆戻り防止レバー１１６をモータ駆動する、といった電気的制御に基づく連動構成を採用してもよい。また、上記実施形態における紙幣案内ドラムが備える逆戻り防止レバーを当接させる当接部の構成も一例であり、本発明の当接部は、上記実施形態で示す以外の形状・配置などであってもよい。
【図面の簡単な説明】
【００６５】
【図１】本発明の一実施形態にかかる紙幣処理装置を示す斜視図である。
【図２】本発明の一実施形態にかかる紙幣処理装置を示す斜視図である。
【図３】紙幣処理装置の内部構成を示す図で、図１のＡ−Ａ部分の概略断面図である。
【図４】紙幣処理装置の内部構成を示す図で、図１のＢ−Ｂ部分の概略断面図である。
【図５】紙幣収納部を示す図で、紙幣収納部を本体部の側から見た斜視図ある。
【図６】通路形成部を示す図で、（ａ）は、通路形成部を一方の側面の側から見た概略断面図で、（ｂ）は、通路形成部の他方の側面を示す概略側面図である。
【図７】本体部から取り出された通路形成部と紙幣収納部を示す斜視図である。
【図８】本体部の一方の側面を示す側面図で、装着部から紙幣収納部と通路形成部を取り外した状態を示す図である。
【図９】本体部の他方の側面を示す側面図である。
【図１０】シャッター機構の構成及び動作を説明するための図で、図９のＣ−Ｃ部分及びＤ−Ｄ部分の概略断面図である。
【図１１】ロック機構とロック解除機構の構成を示す部分拡大図である。
【図１２】紙幣収納部と通路形成部をそれらの下面側から見た斜視図である。
【図１３】第１ロック機構の詳細構成を示す部分拡大断面図である。
【図１４】第２ロック機構の詳細構成を示す部分拡大断面図である。
【図１５】通路形成部と紙幣収納部が取り出される際の動作を説明するための図である。
【図１６】通路形成部と紙幣収納部が取り出される際の動作を説明するための図である。
【図１７】紙幣案内ドラムを示す斜視図である。
【図１８】紙幣案内ドラムと逆戻り防止レバーの動作を説明するための図で、紙幣案内ドラムの一端と逆戻り防止レバーとを示す部分拡大図である。
【図１９】紙幣案内ドラムと逆戻り防止レバーの動作を説明するための図で、紙幣案内ドラムの当接面を示す部分拡大図である。
【符号の説明】
【００６６】
１    紙幣収納装置
２    本体部
２ａ    前面
３    装着部
３ａ    通路形成面
４    紙幣挿入口
５    紙幣通路
２０    紙幣収納部
２０ａ    前端部
２０ｂ    側壁面
２１    紙幣保持片（紙幣保持部）
２７    回動機構
３０    アーム部材
３５    コイルバネ
４０    通路形成部
４１    通路形成面
５２    発光素子
５３    受光素子
５４    磁気ヘッド
５５    プレッシャーローラ
５６    導入口
５７    導出口
５８    導光部材
７０    シャッター機構
７２    引き抜き防止シャッター
７３    シャッターレバー
７５    シャッターソレノイド
７６    コイルバネ
８１    第１ロック機構
８２    第１ロック部材
８２ａ    第１ロック爪
８２ｂ    当接部
８３    シャフト
８４    コイルバネ
８５    第２ロック機構
８６    第２ロック部材
８６ａ    第２ロック爪
８６ｂ    リンク係合部
８８    第１係合部
８９    第２係合部
９０    ロック解除機構
９１    ロック解除レバー（ロック解除部材）
９２    コイルバネ
９３    ロック解除ソレノイド
１００    紙幣収納機構
１０１    紙幣案内ドラム
１０１ａ  スリット
１０１ｂ  回転軸
１０２    モータ
１１０    紙幣押圧プレート
１１６    逆戻り防止レバー
１１６ａ  端部（作用端）
１１６ｂ  端部（当接端）
１１７    回動軸部
１１８    コイルバネ
１２０    当接面（当接部）
１２０ａ  第１の部分
１２０ｂ  第２の部分
１２０ｃ  第３の部分
４００    紙幣逆戻り防止機構
【図１】
2008257380.tif 000003
【図２】
2008257380.tif 000004
【図３】
2008257380.tif 000005
【図４】
2008257380.tif 000006
【図５】
2008257380.tif 000007
【図６】
2008257380.tif 000008
【図７】
2008257380.tif 000009
【図８】
2008257380.tif 000010
【図９】
2008257380.tif 000011
【図１０】
2008257380.tif 000012
【図１１】
2008257380.tif 000013
【図１２】
2008257380.tif 000014
【図１３】
2008257380.tif 000015
【図１４】
2008257380.tif 000016
【図１５】
2008257380.tif 000017
【図１６】
2008257380.tif 000018
【図１７】
2008257380.tif 000019
【図１８】
2008257380.tif 000020
【図１９】
2008257380.tif 000021